(57)【要約】      （修正有）【課題】過酷な条件下で、いかに生命を維持出来るか、現場の救助側の永遠の課題であり又救われる側は、敏速に安全に安心して救助されたい、この願いは双方の思いは一致する、従って全天候に過酷な条件に耐えられ使いやすい救助用機具の開発をテーマに発明にいたつた。【解決手段】従来のヘリコプターの機動性と利便性を活用し、プイという浮力構造にした事により水に浮く頑丈な大きな利点を得た、単純な物体であるが緊迫した条件下で人は物に掴まる本能があり安心して掴まれる物体これが救助の一歩であり、救助ブイの存在価値が生まれる、単純構造の便利さは高度な工作技術と培われた経験により製作され道具の使いよさは救助する側の第一条件でありブイの応用で使い方が広がる。【選択図】図１
2005350039.tif 000002
【特許請求の範囲】
【請求項１】
ヘリコプター用人命救助プイ
【請求項２】
風水災害・事故・春夏秋冬・海・川・湖・沼・山・雪・谷・などの全天候において、怪我人や遭難者をヘリコプター用人命救助プイによって、一度に複数の人命を安全・安心・敏速に効率よく救助に貢献できる人命救助プイを発明した。
【請求項３】
ヘリコプターのワイヤーに接続したピラミット形の浮力のあるブイで水に浮く、底が平らなので特に水面での安定性が良く救助しやすい。
【請求項４】
ピラミットの形状は丸くコマ型で三段にする事により、内側を孤立した空洞にした為、浮力が付き水に浮くプイとなった、三段の各段に怪我人や遭難者を椅子の用に座るので楽な姿勢で敏速に多数収容できる利点となった。
【請求項５】
重症者については、ブイの三段目にステップを付け、担架格納庫をブイの中心に左右担架を２台格納し又重症者を収容できる。
【請求項６】
重傷者の多い時は、ブイの底の部分及びブイの裾の部分に担架を取り付けるフックとフックつきの安全ベルト又は安全ロープのフックを利用して担架を固定し重傷者を収容する。
【請求項７】
担架は二重底にして水に浮く舟とし二人分の巾として、救助舟としても水難事故で利用できる担架とする。
【請求項８】
担架は丈夫な作りとし、救助ブイにフックを取り付け担架とフックで接続しステップを利用してビル火災救助はブイ・担架・窓とロープでつなぎ担架は橋となる。
【請求項９】
ブイ中心部、筒状の背もたれ内部は夜間の照明用の強力な発電機と充電装置及びバッてりー格納庫とする。
【発明の詳細な説明】
【技術分野】
【０００１】ヘリコプターによる機動性と利便性を利用した人命救助ブイを発明した。
［背景技術］【０００２】人命救助は、安全に安心してより敏速に人命を維持し救助する事が基本的な救助技術であり、それを補足する為の機械及び道具としての技術となる人命救助ブイとした。【０００３】従来のヘリコプターによる救助方法は、ロープに浮き輪やベルトなど端的な救助であり又網など複雑な装置は安全と安心と敏速性に寄与しない。
【特許文献】        特開昭５２−１１３６００号      公報
［発明の開示］
［発明を解決しようとする課題］【０００４】以上にのへた従来の救助用具では、安全に安心して敏速にの部分が問題となる。
［課題を解決しようとする手段］【０００５】本発明は、ピラミットの形状で丸い、こま型で三段式の内部を空洞ブイにした事で、浮力がつき水に浮き軽く扱いやすい。【０００６】一段と二段目の台に椅子のように座る事により、一度に多数収容できる。【０００７】固定装置としては、安全ベルトを装着する事により安全と安心により敏速に重症者や怪我人を担架に乗せ、救助ブイの底のフックに取り付け空輸する。
［発明の効果］【０００８】ブイという構造にする事により、大小さまざまの救助ブイを作ることで、色々なヘリコプター及び船やビルなどの非難用具としても効率よく貢献できる。【０００９】日本国は四方海にかまれ海から授かる恵みも多いが又悲惨な悲劇も多発している、人の命絶つ事故や遭難に空から機動性のあるヘリコプターと海に浮くブイと連携する優位性は、個々の優れた技術が拡散され新しい産業として発展される。
［発明の実施するための最良の形態］【００１０】以下、本発明の形態を図１〜図４に基ずいて説明する。【００１１】図面１、総体的な形はピラミット形で丸く、一点を中心として左右下部に重心を置くことで吊り下げた時の安定性と設置面の大きい事による安全性、三層空洞ブイの構造により水面で浮力が付き、雪や軟らかい地盤での着地性が良い。【００１２】多目的の悪く条件で耐久性のある構造とし、楽な姿勢で収容され、救助手すりや安全ベルトを装着し安全を図った。【００１３】上より三段目のブイに担架を収納する格納庫を二基確保しステップを設けることで使い安くした。【００１４】図２、ステップを利用して救助ブイと担架を連結させて担架と窓に渡してロープで固定して橋として利用する。【００１５】昼夜のビル火災や地震などでビルの屋上に避難した人員は、丸く着地性が良いので他方面より乗り込むことができる。【００１６】救助ブイの格納庫やブイの底に担架を固定するフック穴を有し空輸しやすく、担架の機能性を図った。
【図面の簡単な説明】
【００１７】［図１］  本発明の実施形態を示すヘリコプター用救助ブイの部分断面図
［図２］  ビル火災の救助ブイによる救助部分の断面図
［図３］  海面での救助ブイによる救助部分の断面図
［図４］  救助用備品と救助ロープの使い方を示した断面図
【符号の説明】
【００１８】１      ワイヤー取り付けボルト上下２本
２      浮き輪ロープ２０ｍ付き
３      作業灯、四方４灯
４      外灯、四方４灯
５      発電機及びバッテリー庫
６      ヘッドレスト
７      安全ベルト６人用
８      遭難者（救助後の姿勢）
９      一段目救助手すり
１０    一段ブイ孤立空洞ブイ
１１    二段め救助手すり
１２    二段目孤立空洞ブイ
１３    ロープフック
１４    三段目孤立空洞ブイ
１５    担架格納庫及び担架左右二基
１６    ステップ
１７    担架固定ロープ
１８    担架の底が二重底で水に浮く舟となる
【００１９】１９    ヘリコプター用救助ブイでの収容及び担架で怪我人の収容現場
２０    ビル屋上での救助ブイに乗り込む現場
２１    黒い人形は救助隊員、白い人形は非難員、担架を橋として窓より救助する現場
【００２０】２２    救助隊員１組５人編制、パイロット１名、指揮官１名、救助員チーフ１名、救助員２名現場に到着  プイに救助員２名乗り込む
２３    救助開始    チーフ救助員がブイに残り、救助員２名が現場救助に専念するチーフ救助員は救助補足をし現場指揮をとる
２４    救助終了    担架は舟として活躍する
【００２１】１ａ    救助ロープ１０ｍ６本フック付き
２ａ    備品収納バック２個
３ａ    現場でのロープの使用方法
４ａ    ボンベ付き救命胴衣６着
５ａ    安全ベルト１２本
６ａ    安全ベルトと救助補助ロープの組み合わせ使用方法
７ａ    救助補助ロープ２ｍ１２本
８ａ    ６ａの組み合わせロープとベルト
９ａ    担架２台長さ３ｍ、巾１ｍ、高さ５０ｃｍ
１０ａ  担架１台２名用
【図１】
2005350039.tif 000003
【図２】
2005350039.tif 000004
【図３】
2005350039.tif 000005
【図４】
2005350039.tif 000006